(57)【特許請求の範囲】
【請求項１】
光源を具備する照射部と、前記照射部を支持するレンズホルダと、前記光源の点灯制御の選択を行うスイッチと、前記レンズホルダ及び前記スイッチを支持するハウジングと、を備える室内照明灯であって、
前記照射部は、円形であり、
前記スイッチは、前記レンズホルダを囲うように設けられたリング形状であり且つ該レンズホルダの周に沿った回動により操作可能なスイッチであり、
前記レンズホルダは、前記ハウジングに対して２つの回転軸で支持されていることを特徴とする室内照明灯。
【請求項２】
前記スイッチは、前記ハウジングに設けられた室内側に露出するフランジの表面に連なる表面を有し且つその内縁が前記レンズホルダの表面に近接又は接触するように位置するスイッチノブを備える請求項１記載の室内照明灯。
【請求項３】
前記スイッチは、スイッチスプリングにより付勢されて前記ハウジングに設けられた基板の接点パターンに接触するスイッチプレートと、ピンスプリングにより付勢されて前記ハウジングに設けられた凹部に入り込むピンと、を備える請求項１又は２記載の室内照明灯。
【請求項４】
前記スイッチは、前記ハウジングに設けられた案内孔に入って所定の角度範囲内で案内されるフランジを備える請求項１乃至３のいずれか１項に記載の室内照明灯。
【請求項５】
前記レンズホルダ、前記スイッチ及び前記ハウジングは、同心円状に配設され、該レンズホルダが内側であり且つ該ハウジングが外側である請求項１乃至４のいずれか１項に記載の室内照明灯。
【発明の詳細な説明】
【技術分野】
【０００１】
本発明は、例えば自動車等の室内の天井に装備するのに好適な室内照明灯に関し、更に詳しくは、従来にない美観の意匠を備えることができ、手探りでもスイッチの操作がし易い室内照明灯に関する。
【背景技術】
【０００２】
従来より、自動車等の屋根付きの車両の天井に装備する室内照明灯として、光源部を回転させることによって照射方向を変更可能なものが知られている。この種の室内照明灯としては、例えば、図８に示すように、円形の光源部１０１とその横に設けられたプッシュ式スイッチ１０２を備えた室内照明灯１００が知られている（例えば、特許文献１参照）。この室内照明灯１００は、レンズを支持するベゼルの外側面が球面であると共に、この外側面が本体に対して摺動可能に支持されている（特許文献１の図１参照）。これにより、光源部１０１の照射方向を自由に変更することができ、通常前側座席前方となるバックミラー周辺や、サイドウィンドウ上方等に設けられて使用される。
また、この種の室内照明灯１０３としては、例えば、図９に示すように、円形の光源部１０４とその横に設けられたスライド式スイッチ１０５を一体に備えたものが知られている。この室内照明灯１０３では、図１０に示すように、レンズ１０６の外側面に設けられた互いに垂直な２つの回転軸１０７（片方のみ図示）により本体１０８に回転可能に支持されている。これにより、照射部であるレンズ１０６の照射方向を自由に変更することができる。
【０００３】
【特許文献１】特開２００５−１２５８７０号公報
【０００４】
しかし、前記従来の室内照明灯１００，１０３では、プッシュ式スイッチ１０２やスライド式スイッチ１０５を採用して光源部１０１，１０４の隣に配置しているので、全体としての形状が四角形になってしまい、意匠性に制約を生じ、更に小型化が困難である。
また、暗いためによく見えない場合や、室内照明灯を見ることなく操作したい場合のために手探りでスイッチ１０２，１０５を操作することがある。しかし、光源部１０１，１０４に対してどの方向にスイッチ１０２，１０５があるか感覚的に分かり難いため、例えば手探りで操作した際、光源部１０１，１０４を見つけてもスイッチ１０２，１０５を更に手探りで探さなければならず、スイッチ１０２，１０５の位置が分かり難かった。更に、光源部１０４の向きを変えるために誤ってスイッチ１０５を触れてしまい、点灯状態が変化してしまうことがあった。
【発明の開示】
【発明が解決しようとする課題】
【０００５】
本発明は、前記現状に鑑みてなされたものであり、従来にない美観の意匠を備えることができ、手探りでもスイッチの操作がし易い室内照明灯を提供することを目的とする。
【課題を解決するための手段】
【０００６】
本発明は、以下の通りである。
１．光源を具備する照射部と、前記照射部を支持するレンズホルダと、前記光源の点灯制御の選択を行うスイッチと、前記レンズホルダ及び前記スイッチを支持するハウジングと、を備える室内照明灯であって、前記照射部は、円形であり、前記スイッチは、前記レンズホルダを囲うように設けられたリング形状であり且つ該レンズホルダの周に沿った回動により操作可能なスイッチであり、前記レンズホルダは、前記ハウジングに対して２つの回転軸で支持されていることを特徴とする室内照明灯。
２．前記スイッチは、前記ハウジングに設けられた室内側に露出するフランジの表面に連なる表面を有し且つその内縁が前記レンズホルダの表面に近接又は接触するように位置するスイッチノブを備える上記１．記載の室内照明灯。
３．前記スイッチは、スイッチスプリングにより付勢されて前記ハウジングに設けられた基板の接点パターンに接触するスイッチプレートと、ピンスプリングにより付勢されて前記ハウジングに設けられた凹部に入り込むピンと、を備える上記１．又は２．記載の室内照明灯。
４．前記スイッチは、前記ハウジングに設けられた案内孔に入って所定の角度範囲内で案内されるフランジを備える上記１．乃至３．のいずれか１項に記載の室内照明灯。
５．前記レンズホルダ、前記スイッチ及び前記ハウジングは、同心円状に配設され、該レンズホルダが内側であり且つ該ハウジングが外側である上記１．乃至４．のいずれか１項に記載の室内照明灯。
【発明の効果】
【０００７】
本発明の室内照明灯によれば、円形の照射部を丸く囲うようにリング式スイッチが設けられているので、全体の意匠を真円形等として、見る向きが変わっても美観が変化することがない形状にすることができ、デザインの自由度が高まって意匠性を高めることができる。また、従来のスライド式スイッチやプッシュ式スイッチ等を採用する場合に比べて、照射部の近傍にスイッチのためのまとまったスペースを用意する必要がないので小型化を図ることができ、従来と全く異なる意匠とすることができる。更に、照射部周囲にリング式スイッチを配置しているので、手探りで照射部を見つけた後に、その周囲に位置するスイッチを容易に見つけて、そのまま操作することができるため、操作性を高めることができる。
また、室内照明灯の一角にスイッチのための場所を設ける必要がないため、照射部を大型化することが容易であり、大光量の照明とすることができる。
【０００８】
照射部がハウジングに対して２つの回転軸で支持されているので、照射方向を任意の方向に変更することができる。また、照射部の向きを変えるときに誤ってスイッチを触っても、スイッチが動いて点灯状態が変化することがなく、誤った操作をすることがない。
更に、照射部が２つの回転軸で支持されることによって、可動する角度を広角にすることができ、向きを変えることによって車内全体を照射することができる。また、可動して照射方向を変えることができる照射部は、共に回動する光源を備えるため、照射部を変えても光軸等の光学系の変化が生じず、一様な照射能力を得ることができる。特に、ＬＥＤ等の指向性が高い光源を用いても、問題がなく好ましい。
このように、照射方向を変えることができ、且つ大光量の照明とすることができるため、マップランプ、バニティランプやトランクランプ及びスポットランプ等のような補助光源として使用するだけではなく、一灯で室内の全ての床面を照射することが可能なルームランプ等の全体照明として使用することもでき、一灯で様々な用途に用いることができる。
また、前記光源がＬＥＤである場合は、光源としてバルブを使用する場合に比べてスポット性を高めることができ、且つ小型化を図ることができる。更に、光源の小型化により照射部の回転角度の制約が小さくなるので、照射可能な範囲を拡大することができる。
また、ハウジング形状が円形である場合は、照射部、リング式スイッチ及びハウジングが同じ円形となる意匠を得ることができ、従来の長方形状室内照明具と異なった意匠となり、意匠性を向上することができる。
また、照射部、スイッチ及びハウジングが同心円状に配設される場合は、各要素の統一感が得られるため、従来の長方形状室内照明具と異なった意匠となり、意匠性を向上することができる。
【発明を実施するための最良の形態】
【０００９】
本発明に係る室内照明灯は、光源を具備する照射部と、前記光源の点灯制御の選択を行うスイッチと、前記照射部及び前記スイッチを支持するハウジングと、を備えることを特徴とする。
前記「照射部」は、その大きさ、個数等は特に問わない。更に、照射部は、前記ハウジングに２つの回転軸で支持され、照射方向を変えることができる。２つの回転軸は通常直交するように配設するが、それに限られず、互いになす角度は特に問わない。また、照射部は光源を備え、照射部の向きの変更により光源の向きも同時に変化する。
更に、照射部の露出部分の形状は任意に選択することができるが、通常露出部分の周縁形状が真円形であることが好ましい。スイッチの形状等と揃えることができるため、美観に優れ、且つ照射部の向きを変えるときに支障が出ないためである。
前記「光源」は電気的に発光するものである限り、その種類、形状、大きさ、個数等は特に問わない。この光源は、例えば、ＬＥＤとすることができる。
また、照射部及び／又は光源にレンズを設け、光源から発せされる光束を調節することができる。このレンズは、光源からの光を用途に応じて範囲に拡散することができればよく、その大きさ、材質及び形状等を問わない。
【００１０】
前記「スイッチ」は露出する操作部分の形状がリング状であって、照射部を囲うように設けられ、且つ照射部の周囲を周に沿って回動可能なリング式スイッチである限り、その形状や大きさ等は特に問わない。また、このスイッチにより光源の点灯制御の選択を行うことができる。この「点灯制御の選択」は、任意に選択することができ、例えば、室内照明灯の常時点灯、常時消灯及びドアの開閉に連動する点灯からなる３つの状態を選択可能であってもよいし、室内照明灯の点灯及び消灯からなる２つの状態を選択可能であってもよい。更に、室内照明灯の点滅や照度の選択等を行うことができる。
また、このリング式スイッチの可動範囲は特に問わず、例えば、可動範囲に制限があってもよいし、可動範囲に制限がなく任意の角度で回動可能であってもよい。
【００１１】
前記「ハウジング」は照射部及びスイッチを支持する限り、その形状や大きさ等は特に問わない。ハウジングの材質としては例えば、合成樹脂製、金属製等を挙げることができる。また、このハウジングは任意の平面形状を選択することができ、真円形、正多角形（例えば正三角形〜正十二角形等）及び楕円形等を例示することができる。これらのうち、真円形が特に好ましい。従来の室内照明灯と大きく異なる意匠を得ることができるためである。
【００１２】
更に、ハウジング、スイッチ及び照射部は、同心円状に配設されているのが好ましい。手探りでスイッチを操作するときに、照射部の位置からスイッチの位置が把握しやすいためである。また、照射部、スイッチ及びハウジングは、中心側から照射部、スイッチ及びハウジングの順に露出するように配置されているのが好ましい。照射部の位置からスイッチの位置が把握しやすく、照射部の周に沿ってスイッチが設けられているという、従来の室内照明灯と大きく異なる意匠を得ることができるためである。
【実施例】
【００１３】
以下、図面を用いて実施例により本発明を具体的に説明する。本実施例の室内照明灯は、乗用車の室内灯として用いる照明灯である。
（１）室内照明灯の構成
本実施例の室内照明灯１は、図１〜図３に示すように、光源２及びレンズ３を有する照射部４と、光源２のオンオフ制御を行うリング式スイッチ５と、照射部４を支持するレンズホルダ７と、レンズホルダ７を支持する支持リング８と、支持リング８及びリング式スイッチ５を支持するハウジング６と、を備えている。また、リング式スイッチ５の内縁とレンズホルダ７の表面は近接及び／又は接触するように位置する。これらハウジング６とリング式スイッチ５とレンズホルダ７と照射部４は同心円状に形成されている。
ハウジング６は円形で合成樹脂からなり、室内側に露出するアウターベゼル９と、その裏側に蓋のように取り付けられるアウタープレート１０とを備えている。これらアウターベゼル９とアウタープレート１０との中に他の部品が収容される。
照射部４は、光源２であるＬＥＤを具備するＬＥＤユニット１１と、光源２からの光線の拡散を防止するＬＥＤホルダー１２と、レンズ３と、これらを一体化するＬＥＤホールドプレート１３と、を備えている。この照射部４はレンズホルダ７に固定されている。
【００１４】
レンズホルダ７の内側には円環形状の支持リング８が設けられている。支持リング８は、外周側に突出した第１の回転軸端１４と、この第１の回転軸端１４の反対側に形成された第１のシム受け孔１５と、第１の回転軸端１４と９０度ずれた位置に形成された第２の軸受１６と、この第２の軸受１６の反対側に形成された第２のシム受け孔１７とを備えている。第１のシム受け孔１５には第１のシム１８が、第２のシム受け孔１７には第２のシム１９がそれぞれ回転可能に設けられている。各シム１８，１９はエラストマー製とされている。
レンズホルダ７の内側には、支持リング８の第１の回転軸端１４を受ける第１の軸受２０と、第１のシム１８を保持する第１のシム受け２１とが形成されている。更に、第１の軸受２０が第１の回転軸端１４と組み合わされ、且つ第１のシム受け２１が第１のシム受け孔１５に設けられる第１のシム１８と組み合わされて第１の回転軸２２として構成される。これによって、レンズホルダ７は、任意の角度に回転及び維持することができるように支持リング８によって支持されている（図１参照）。
また、アウタープレート１０は、中央に孔が設けられている円板状体である底部１０ａと、底部１０ａの孔の周に沿って向かい合うように立設されている２つの支持柱１０ｂ、１０ｃと、底部１０ａの外周部であり且つアウターベゼル９の端部と接続されている外周部１０ｄとからなる。更に、一方の支持柱１０ｂの先端側には、支持リング８の第２の軸受１６を受ける第２の回転軸端２３が形成されている。また、他方の支持柱１０ｃの先端側には、第２のシム１９を保持する第２のシム受け２４とが形成されている。更に、第２の軸受１６が第２の回転軸端２３と組み合わされ、且つ第２のシム受け２４が第２のシム受け孔１７に設けられる第２のシム１９と組み合わされて第２の回転軸２５として構成される。これによって、支持リング８は、任意の角度に回転及び維持することができるようにアウタープレート１０によって支持されている（図２参照）。
ここで、レンズホルダ７と支持リング８とを連結する第１の回転軸２２と、支持リング８とアウタープレート１０とを連結する第２の回転軸２５とのなす角度は９０度としている（図４参照）。また、各回転軸での最大回転角度は５６度としている（図５参照）。
【００１５】
レンズホルダ７の外側にはリング式スイッチ５が設けられている。リング式スイッチ５は、円環状のスイッチノブ２６と、スイッチの接点となる金属製のスイッチプレート２７と、スイッチプレート２７に付勢するスイッチスプリング２８と、スイッチの回転時に節度感を出すためのピン２９及びピンスプリング３０と、を備えている。スイッチノブ２６の周縁には等間隔、つまりスイッチノブ２６を二分する位置に設けられた一対のフランジ３１を備えている。このフランジ３１はアウターベゼル９とアウタープレート１０により形成される案内孔３２に入って所定の回転角度内で案内され、スイッチノブ２６の回転軸となる。
スイッチプレート２７は、アウタープレート１０に装着された基板３３の接点パターンに接触する。ピン２９はアウタープレート１０に形成された３つの凹部３４に移動可能に入り込んでいる。そして、スイッチノブ２６を回転することにより、ピンスプリング３０によって凹部３４に付勢されたピン２９が一方の凹部３４から他方の凹部３４に移動することでスイッチの状態が変化した感触を得ることができる。これと同時にスイッチプレート２７が基板３３に対して移動し、接点パターンの接続状態が変化する。本実施例では、照明の常時点灯、常時消灯及びドアの開閉に連動する点灯の３つの状態を選択可能なものとしている。
アウターベゼル９は、室内側に露出するフランジ３９と、天井３５の裏側に引っ掛かる爪３６及び係合バネ３７とを備えている。係合バネ３７は爪３６と反対側に配置されており、室内照明灯１の天井３５への装着時には弾性変形して装着可能となり、装着後には天井３５の裏面に引っ掛かって脱落を防止する構造となっている。アウタープレート１０には基板３３が取り付けられている。基板３３とＬＥＤユニット１１とはワイヤハーネス３８で接続されている。
【００１６】
この室内照明灯１は、乗用車の前部座席上方の天井３５であり、バックミラー周辺の位置に１個だけ設けられている。これにより、前部座席の乗員の手元から後部座席の後ろの荷室まで広い範囲を照射することができる。
【００１７】
（２）室内照明灯の作用
次に、前記構成の室内照明灯１の組立て手順について説明する。
先ず、レンズ３にＬＥＤホルダー１２を装着し、そこにＬＥＤユニット１１を載せてＬＥＤホールドプレート１３で挟んで照射部４を組み立てる。ＬＥＤユニット１１にワイヤハーネス３８を接続する。この照射部４をレンズホルダ７に装着する。そして、２つのシム１８，１９を取り付けた支持リング８をレンズホルダ７の内側に装着する。この時、第１の回転軸端１４を第１の軸受２０に支持させ、同時に第１のシム１８を第１のシム受け孔１５に支持させるようにする。更に、支持リング８をアウタープレート１０に装着する。この時、アウタープレート１０の第２の回転軸端２３を第２の軸受１６に支持させ、同時に第２のシム１９を第２のシム受け２４に支持させるようにする。
一方、アウターベゼル９の内側にスイッチノブ２６を装着する。この時、スイッチノブ２６のフランジ３１がアウターベゼル９の案内孔３２に入るようにする。そして、スイッチプレート２７とスイッチスプリング２８を装着し、またピン２９とピンスプリング３０も装着する。
続いて、照射部４、レンズホルダ７及び支持リング８を組み付けたアウタープレート１０をアウターベゼル９に取り付ける。更に、アウタープレート１０の外側に基板３３をネジ留めし、ワイヤハーネス３８を接続する。
室内照明灯１を天井３５に取り付ける際は、図６に示すように、アウターベゼル９の爪３６を天井３５の装着穴の縁に斜めに引っ掛け、それから反対側を持ち上げて係合バネ３７を弾性変形させて天井３５の裏に押し込むようにする。これにより、爪３６と係合バネ３７が天井３５の裏に引っ掛かって脱落が防止される。
【００１８】
次に、前記構成の室内照明灯１の動作について説明する。
使用者がスイッチノブ２６を把持して回転させると、スイッチプレート２７が移動して光源２のオンオフが切り替わる。また、使用者が照射部４のレンズホルダ７を把持して光軸を変えるように外力を加えると、図７に示すように、レンズホルダ７がアウタープレート１０に対して支持リング８の２つの回転軸２２，２５を介して適宜回転する。これにより、可動範囲内で任意の位置を照射することができるようになる。ここで、回転軸２２，２５にはシム１８，１９を使用しているので、任意の角度に設定したまま維持することができる。
【００１９】
（３）実施例の効果
本実施例の室内照明灯１によれば、照射部４を囲うように設けられて回動するリング形状のスイッチノブ２６を備えるスイッチを設けているので、見る向きが変わっても美観が変化することがなく、意匠性が高い。また、従来のスライド式スイッチやプッシュ式スイッチ等を採用する場合に比べて、照射部４の近傍にスイッチのためのまとまったスペースを用意する必要がないので小型化を図ることができ、従来と全く異なる意匠が得られている。また、手探りで照射部４を見つけた後に、その周囲に位置するスイッチノブ２６を容易に見つけて、そのまま操作することができるため、操作性を高めることができる。
更に、レンズホルダ７の内側に２つの回転軸２２，２５を設けているので、照射部４の可動範囲を大きく設定することができる。具体的には、図９及び図１０に示した従来の室内照明灯１０３では照射部４の可動範囲が２４度程度に留まっているのに対し、本実施例では例えば５６度という大きな可動範囲の設定が可能である。これにより、本実施例によれば、乗用車の前座席の天井３５であり、バックミラー周辺の位置に室内照明灯１を１個設けるだけで室内の全体を照射可能な範囲に含めることができるようになる。したがって、従来のように天井中央のランプの他にバニティランプやトランクランプ等の複数の室内照明灯を設置する場合に比べて、照明の数を大幅に削減することができ、一灯で様々な用途に用いることができる。
また、本実施例では、ハウジング６とスイッチノブ２６とレンズホルダ７とレンズ３が同心円状に形成されているので、意匠性が高いと同時に小型化を図ることができる。また、本実施例では、光源２がＬＥＤであるので、バルブを使用する場合に比べてスポット性を高めることができ、且つ小型化を図ることができる。また、光源２を小さくすることができるため、照射部４内に設けることができ、照射部４の向きを変えても光量が変化しない室内照明灯を得ることができる。
【００２０】
尚、本発明においては、前記実施例に限られず、目的、用途に応じて本発明の範囲内で種々変更した実施例とすることができる。即ち、前記実施例では、ハウジング６を円形とするようにしたが、これに限定されず、例えば、四角形などの多角形とするようにしてもよい。これにより、デザインの自由度を高めることができる。
また、前記実施例では、光源２としてＬＥＤを使用するようにしたが、これに限定されず、例えば、バルブを使用するようにしてもよい。また、前記実施例では、レンズホルダ７の内側に２つの回転軸２２，２５を設けるようにしたが、これに限定されず、例えば、レンズホルダ７の外側に２つの回転軸を設けるようにしてもよい。
更に、前記実施例では、照射部４が光源２及びレンズ３を有するようにしたが、これに限定されず、例えば、照射部４は光源２のみを有してレンズ３を有さないようにしたり、あるいは光源２はハウジング６に固定して照射部４はレンズ３のみ有するようにしてもよい。
また、前記実施例では、リング式スイッチ５が所定の可動範囲内だけで回転するようにしたが、これに限定されず、例えば、全周に亘り回転可能なようにしてもよい。また、前記実施例では、リング式スイッチ５が照明のオン、オフ及びドア連動の３つの状態を切り替えるようにしたが、これに限定されず、例えば、照明のオン及びオフのみを切り替えるようにしてもよい。
また、前記実施例では、室内照明灯１を乗用車の天井３５の１箇所にのみ設置するようにしたが、これに限定されず、例えば、複数箇所に設けるようにしてもよい。
【産業上の利用可能性】
【００２１】
自動車の室内照明灯として利用される。特に、意匠性が高く、且つ小型化された室内照明灯として好適に利用される。
【図面の簡単な説明】
【００２２】
【図１】実施例に係る室内照明灯を第１の回転軸に沿って切断した状態を示す縦断面図である。
【図２】実施例に係る室内照明灯を第２の回転軸に沿って切断した状態を示す縦断面図である。
【図３】室内照明灯の分解組立図である。
【図４】第２の回転軸を示す斜視図である。
【図５】照射部を最大に回転させた状態を示す縦断面図である。
【図６】室内照明灯を天井に装着する作業途中の状態を示す縦断面図である。
【図７】照射部の回転のパターンを示す斜視図であり、（Ａ）は中立位置にある場合、（Ｂ）は第１の回転軸を中心に回転した場合、（Ｃ）は第２の回転軸を中心に回転した場合を示す。
【図８】従来の室内照明灯を示す斜視図である。
【図９】従来の他の室内照明灯を示す斜視図である。
【図１０】図９のＸ−Ｘ線で切断した状態を示す断面図である。
【符号の説明】
【００２３】
１；室内照明灯、２；光源、３；レンズ、４；照射部、５；リング式スイッチ、６；ハウジング、７；レンズホルダ、８；支持リング、９；アウターベゼル、１０；アウタープレート、２６；スイッチノブ。
【図１】
0004916410.tif 000002
【図２】
0004916410.tif 000003
【図３】
0004916410.tif 000004
【図４】
0004916410.tif 000005
【図５】
0004916410.tif 000006
【図６】
0004916410.tif 000007
【図７】
0004916410.tif 000008
【図８】
0004916410.tif 000009
【図９】
0004916410.tif 000010
【図１０】
0004916410.tif 000011